(57)【要約】  空気調和装置および伝送線路の異常検出方法において、空気調和装置は、複数の設備機器が伝送線路で接続され、それぞれの設備機器の間で通信を行うものであり、複数の設備機器のうちの１つは、伝送線路の異常を検出するための異常検出用コンパレータを有し、伝送線路の異常を検出する伝送回路と、受信信号と伝送線路の異常を検出したことを示す信号電圧波高値情報とを記録するデータ保存装置とを備え、伝送回路は、伝送線路を介して他の設備機器から受信した受信信号の電圧値と、異常検出用コンパレータに予め設定された閾値とを比較し、受信信号の電圧値が閾値以下である場合に、伝送線路が異常であると判断し、信号電圧波高値情報を生成し、信号電圧波高値情報を受信信号とともにデータ保存装置に記録する。
2017179180.tif 000002
【特許請求の範囲】
【請求項１】
複数の設備機器が伝送線路で接続され、それぞれの設備機器の間で通信を行う空気調和装置であって、
前記複数の設備機器のうちの１つは、
前記伝送線路の異常を検出するための異常検出用コンパレータを有し、前記伝送線路の異常を検出する伝送回路と、
前記受信信号と前記伝送線路の異常を検出したことを示す信号電圧波高値情報とを記録するデータ保存装置と
を備え、
前記伝送回路は、
前記伝送線路を介して他の設備機器から受信した受信信号の電圧値と、前記異常検出用コンパレータに予め設定された閾値とを比較し、
前記受信信号の電圧値が前記閾値以下である場合に、前記伝送線路が異常であると判断し、
前記信号電圧波高値情報を生成し、該信号電圧波高値情報を前記受信信号とともに前記データ保存装置に記録する
空気調和装置。
【請求項２】
前記伝送回路は、
前記異常検出用コンパレータとして閾値が異なる複数の異常検出用コンパレータを有し、
前記データ保存装置には、
前記複数の設備機器のそれぞれから前記受信信号を正常に受信した際の、該受信信号に関する情報を示す信号電圧波高値初期情報が設備機器毎に予め記録され、
前記伝送回路は、
前記伝送線路を介して前記受信信号を受信した際に、該受信信号の電圧値である受信電圧値と、前記複数の異常検出用コンパレータのそれぞれの前記閾値とを比較し、
前記受信電圧値と前記複数の異常検出用コンパレータのぞれぞれの前記閾値との関係を示す信号電圧波高値情報を生成し、
生成した前記信号電圧波高値情報と、前記データ保存装置に記録された、前記受信信号を送信した設備機器に対応する前記信号電圧波高値初期情報とを比較し、
前記信号電圧波高値情報と前記信号電圧波高値初期情報が一致しない場合に、前記伝送線路が異常であると判断する
請求項１に記載の空気調和装置。
【請求項３】
前記伝送回路は、
前記受信信号を正常に復号できるか否かを判断するための復号用コンパレータをさらに有し、
前記異常検出用コンパレータの前記閾値は、
前記復号用コンパレータに予め設定された閾値よりも大きい値に設定される
請求項１または２に記載の空気調和装置。
【請求項４】
前記データ保存装置は、
取り外しが可能な記録媒体である
請求項１〜３のいずれか一項に記載の空気調和装置。
【請求項５】
前記設備機器としてのリモートコントローラが前記伝送線路に接続され、
前記データ保存装置は、
前記リモートコントローラに設けられている
請求項１〜４のいずれか一項に記載の空気調和装置。
【請求項６】
空気調和装置に設けられた複数の設備機器が接続された伝送線路の異常検出方法であって、
前記複数の設備機器のうちの１つにおいて、他の設備機器から前記伝送線路を介して受信した受信信号の電圧値と、前記伝送線路の異常を検出するための異常検出用コンパレータに予め設定された閾値とを比較し、
前記受信信号の電圧値が前記閾値以下である場合に、前記伝送線路が異常であると判断し、
前記信号電圧波高値情報を生成し、該信号電圧波高値情報を前記受信信号とともにデータ保存装置に記録する
伝送線路の異常検出方法。
【発明の詳細な説明】
【技術分野】
【０００１】
本発明は、ビル用マルチエアコン等に適用される空気調和装置および伝送線路の異常検出方法に関する。
【背景技術】
【０００２】
従来の空気調和システムにおいては、故障などの異常が発生した際に、異常を解析するためのデータ収集装置が設けられているものがある（例えば、特許文献１参照）。このようなデータ収集装置では、空気調和装置の運転データを収集して記憶している。【０００３】
特許文献１に記載されたデータ収集装置では、室外機と室内機との間でやりとりされる設定温度等の各種運転データと、この運転データに含まれる、故障が発生した際の故障内容等をコード化したアラームコードとを収集し、メモリに記憶している。【０００４】
具体的には、データ収集装置は、伝送線路を流れる運転データを伝送回路で取り込み、伝送回路で復号する。そして、データ収集装置では、得られた運転データに含まれているアラームコードを異常判定手段で検知することによって異常を検知し、運転データをメモリに記憶する。
【先行技術文献】
【特許文献】
【０００５】
【特許文献１】特開２００８−１４４９７３号公報
【発明の概要】
【発明が解決しようとする課題】
【０００６】
ところで、従来の空気調和装置におけるデータ収集装置では、上述したように、復号後の運転データに基づいて通信異常の発生を検知している。そのため、このようなデータ収集装置では、例えば伝送線路での運転データの減衰量が小さく、正常に復号できてしまう程度の軽度の伝送線路異常を検知することができないという問題点があった。【０００７】
このような軽度の伝送線路異常は、後に重度の伝送線路異常に進行して通信異常が発生する虞がある。伝送線路異常が発生すると、空気調和装置の運転が停止し、使用者に影響が出てしまう。そのため、最近では、使用者に影響が出る前に対策を行うことができるように、軽度の伝送線路異常を事前に検知できることが求められている。【０００８】
本発明は、上記従来の技術における問題点に鑑みてなされたものであって、設備機器間に接続された伝送線路における伝送線路異常を検出することが可能な空気調和装置および伝送線路の異常検出方法を提供することを目的とする。
【課題を解決するための手段】
【０００９】
本発明の空気調和装置は、複数の設備機器が伝送線路で接続され、それぞれの設備機器の間で通信を行う空気調和装置であって、前記複数の設備機器のうちの１つは、前記伝送線路の異常を検出するための異常検出用コンパレータを有し、前記伝送線路の異常を検出する伝送回路と、前記受信信号と前記伝送線路の異常を検出したことを示す信号電圧波高値情報とを記録するデータ保存装置とを備え、前記伝送回路は、前記伝送線路を介して他の設備機器から受信した受信信号の電圧値と、前記異常検出用コンパレータに予め設定された閾値とを比較し、前記受信信号の電圧値が前記閾値以下である場合に、前記伝送線路が異常であると判断し、前記信号電圧波高値情報を生成し、該信号電圧波高値情報を前記受信信号とともに前記データ保存装置に記録するものである。
【発明の効果】
【００１０】
以上のように、本発明によれば、受信した信号の電圧とコンパレータの閾値とを比較することにより、設備機器間に接続された伝送線路における伝送線路異常を検出することが可能になる。
【図面の簡単な説明】
【００１１】
【図１】実施の形態１に係る空気調和装置の構成の一例を示すブロック図である。
【図２】図１の室外機の構成の一例を示すブロック図である。
【図３】図２の伝送回路の構成の一例を示すブロック図である。
【図４】実施の形態１に係る空気調和装置の伝送回路において、信号を受信する際の処理の流れについて説明するためのフローチャートである。
【図５】実施の形態２に係る空気調和装置の室外機に設けられた伝送回路の構成の一例を示すブロック図である。
【図６】実施の形態２に係る空気調和装置の伝送回路において、信号を受信する際の処理の流れについて説明するためのフローチャートである。
【発明を実施するための形態】
【００１２】
実施の形態１．
以下、本発明の実施の形態１に係る空気調和装置について説明する。
この空気調和装置では、伝送線路を介して空気調和装置を構成する各設備機器間で通信を行う際に、受信した信号に基づき、伝送線路の異常を検出するものである。
【００１３】
［空気調和装置の構成］
図１は、本実施の形態１に係る空気調和装置１の構成の一例を示すブロック図である。
図１に示すように、空気調和装置１は、室外機２および室内機３を含む設備機器で構成されている。室外機２および室内機３は、図示しない配管によって接続され、配管内を冷媒が循環することによって冷凍サイクル等の熱交換サイクルを形成する。また、室外機２および室内機３は、伝送線路４によって接続され、伝送線路４を介して通信を行う。
なお、この例では、１台の室外機２と１台の室内機３とが接続された場合を示すが、これに限られず、例えば、１台の室外機２に対して複数の室内機３が接続されてもよい。
【００１４】
（室外機）
図２は、図１の室外機２の構成の一例を示すブロック図である。
図２に示すように、空気調和装置１を構成する複数の設備機器の１つである室外機２は、この室外機２全体を制御する制御箱１０と、吸入した冷媒を圧縮して吐出する圧縮機２０と、図示しない熱交換器に空気を供給するファン３０とを備えている。制御箱１０には、室内機３と接続されている伝送線路４が接続されるとともに、圧縮機２０およびファン３０を制御するための制御信号を伝送する制御線が圧縮機２０およびファン３０に接続されている。
【００１５】
制御箱１０は、制御箱１０内の各種回路が設けられた制御基板１１と、伝送線路４および制御基板１１を接続する端子台１２とを備えている。また、制御基板１１は、伝送回路１３、制御回路１４およびデータ保存装置１５を有している。伝送回路１３および制御回路１４は、データ信号線１９によって接続されている。
【００１６】
伝送回路１３は、伝送線路４を介して受信した受信信号を復号して受信すべきデータ（以下、「受信データ」と適宜称する）に変換し、データ信号線１９を介して制御回路１４に供給する。また、伝送回路１３は受信した受信信号に基づき、受信信号を正常に復号できるか否かを判断する処理と、伝送線路４における異常を検出する処理を行う。なお、伝送回路１３における各種処理の詳細については、後述する。
伝送回路１３は、伝送線路４の異常を検出した場合には、伝送線路の異常を検出したことを示す信号電圧波高値情報を生成し、この情報を後述するデータ保存装置１５に記録する。
【００１７】
制御回路１４は、この室外機２に設けられた各部を制御する。例えば、制御回路１４は、室内機３から供給される室内温度情報に基づき、圧縮機２０、ファン３０等の動作を制御する。また、制御回路１４は、伝送線路４を介して他の設備機器に送信すべきデータ（以下、「送信データ」と適宜称する）を生成し、データ信号線１９を介して伝送回路１３に供給する。さらに、制御回路１４は、伝送回路１３から供給された受信データに含まれるチェックサム等を用いて誤り検出処理を行い、この受信データが正常なデータであるか否かの判断を行う。
【００１８】
制御回路１４は、例えばマイクロコンピュータ、ＣＰＵ（Central Processing Unit）などの演算装置上で実行されるソフトウェア、各種処理を実現する回路デバイスなどのハードウェア等で構成される。
【００１９】
データ保存装置１５は、受信データに関する各種の情報を記録する。具体的には、例えば、データ保存装置１５は、伝送線路４の異常が検出された場合に、受信した受信信号と、伝送回路１３で生成された信号電圧波高値情報とを記録する。
【００２０】
図３は、図２の伝送回路１３の構成の一例を示すブロック図である。
伝送回路１３には、制御回路１４と伝送線路４との間で信号の送受信を行うための送受信回路１６が設けられている。送受信回路１６には、伝送線路４が端子台１２を介して接続されるとともに、データ信号線１９を介して制御回路１４が接続されている。また、送受信回路１６には、復号用コンパレータ１７および異常検出用コンパレータ１８が設けられている。
【００２１】
復号用コンパレータ１７は、受信信号を正常に復号できるか否かを判断するために設けられている。復号用コンパレータ１７には、第１の閾値が予め設定されている。伝送回路１３は、受信信号の信号電圧と第１の閾値とを比較することにより、受信信号を正常に復号できるか否かを判断する。
【００２２】
異常検出用コンパレータ１８は、伝送線路４の異常を検出するために設けられている。異常検出用コンパレータ１８には、第２の閾値が予め設定されている。第２の閾値は、例えば、第１の閾値よりも大きい値に設定される。また、第２の閾値は、伝送線路４に異常がない場合に受信する受信信号の信号電圧と、伝送線路４の線路抵抗による最大減衰量とを考慮して設定される。
【００２３】
伝送回路１３は、受信信号の信号電圧と第２の閾値とを比較することにより、伝送線路４の異常が発生したか否かを判断する。また、伝送回路１３は、比較の結果、受信信号の信号電圧が第２の閾値以下である場合に、この「受信信号の信号電圧が第２の閾値以下である」ことを示す情報を上述した信号電圧波高値情報として生成する。
【００２４】
［空気調和装置の動作］
次に、本実施の形態１に係る空気調和装置１の動作について説明する。
空気調和装置１を構成する各設備機器は、伝送線路４を介して他の設備機器と互いに通信を行う。例えば、空気調和装置１の室外機２は、空調対象空間の空調を行うために、室内機３との間で通信を行っている。具体的には、例えば、室外機２は、室内機３が有している空調対象空間の室内温度情報を取得するために、室内温度情報の送信を要求する信号を、伝送線路４を介して室内機３に送信する。そして、この要求を室内機３が受信し、要求に応じた室内温度情報を返送することにより、室外機２は、室内温度情報を取得することができる。
以下では、一例として、室外機２と室内機３との間で行われる通信の際にやりとりされる信号の流れについて説明する。
【００２５】
（信号の送信）
室外機２が他の設備機器である室内機３に対して信号を送信する場合、室外機２の制御回路１４は、送信データを、データ信号線１９を介して伝送回路１３に供給する。
伝送回路１３は、受け取った送信データを室内機３に送信する際の送信信号に変換する。そして、伝送回路１３は、端子台１２を介して伝送線路４上に送信信号を出力する。これにより、室外機２から出力された送信信号は、室内機３に対して送信される。
【００２６】
（信号の受信）
室外機２が室内機３から信号を受信する場合、伝送回路１３は、伝送線路４を介して受信信号を受信する。そして、伝送回路１３は、受信信号を受信データに復号し、データ信号線１９を介して制御回路１４に供給する。
【００２７】
ここで、室外機２と室内機３との間で信号が伝送された際に、伝送異常が発生した場合について考える。例えば、突発的な外来ノイズが伝送線路４上を流れる受信信号に重畳したり、端子台１２と伝送線路４との間で接触不良が生じたり、伝送線路４の地絡が生じたりした場合、受信信号の信号電圧に減衰、歪み等が発生する。このような場合、伝送回路１３は、受信信号を正常に復号することができず、誤って復号された受信データを制御回路１４に供給することになる。
【００２８】
そこで、本実施の形態１では、復号用コンパレータ１７を用いて受信信号を正常に復号できるか否かを判断するとともに、異常検出用コンパレータ１８を用いて伝送線路４で異常が発生したか否かを判断する。そして、伝送回路１３は、復号用コンパレータ１７および異常検出用コンパレータ１８を用いて受信信号および伝送線路４の異常等の有無を判断した後、受信信号を受信データに復号して制御回路１４に供給する。
【００２９】
また、伝送回路１３は、異常検出用コンパレータ１８を用いて伝送線路４の異常等の有無を判断し、伝送線路４に異常が発生していると判断した場合に、上述した信号電圧波高値情報を生成し、受信信号とともにデータ保存装置１５に記録する。
【００３０】
制御回路１４は、伝送回路１３から供給された受信データに対してチェックサム等を用いた誤り検出処理を行う。その結果、この受信データが誤ったデータであると判断した場合には、データの復号が正常に行われていないため、制御回路１４は、送信元の室内機３に対して受信信号の再送を要求する。
【００３１】
このとき、受信信号を正常に復号できない原因が、突発的な外来ノイズによるものである場合には、再送された受信信号を伝送回路１３で復号することにより、正常な受信データを取得することができる。したがって、制御回路１４は、この受信データに基づき、空調を継続することができる。
【００３２】
一方、受信信号を正常に復号できない原因が、端子台１２と伝送線路４との間での接触不良、または伝送線路４の地絡によるものである場合には、再送要求によって受信した受信信号から正常な受信データを取得することができない。そのため、制御回路１４は、空調を継続することができないと判断し、空調を停止する。
【００３３】
（受信信号の受信処理）
図４は、本実施の形態１に係る空気調和装置１の伝送回路１３において、信号を受信する際の処理の流れについて説明するためのフローチャートである。
図４に示すように、室外機２が他の設備機器である室内機３から信号を受信する場合、まず、伝送回路１３は、伝送線路４から受信信号を受信できるよう、待機状態となっている（ステップＳ１）。そして、伝送回路１３は、伝送線路４上の受信信号を、端子台１２を介して受信する（ステップＳ２）と、受信信号の受信処理を開始する（ステップＳ３）。
【００３４】
次に、ステップＳ４において、伝送回路１３は、受信信号の信号電圧値である受信電圧値と、復号用コンパレータ１７に設定された第１の閾値とを比較する。比較の結果、受信電圧が第１の閾値を超えた場合（ステップＳ４；Ｙｅｓ）には、処理がステップＳ５に移行する。
【００３５】
ステップＳ５において、伝送回路１３は、受信電圧値と異常検出用コンパレータ１８に設定された第２の閾値とを比較する。比較の結果、受信電圧値が第２の閾値を超えた場合（ステップＳ５；Ｙｅｓ）、伝送回路１３は、受信信号を復号して受信データに変換する（ステップＳ６）。そして、伝送回路１３は、データ信号線１９を介してこの受信データを制御回路１４に供給する。なお、このときの受信データは、正常に復号されたデータとなる。
【００３６】
また、受信電圧値が第２の閾値以下である場合（ステップＳ５；Ｎｏ）には、処理がステップＳ８に移行する。ステップＳ８において、伝送回路１３は、伝送線路４に軽度の伝送異常が発生していると判断し、このときの受信電圧値に基づき、信号電圧波高値情報を生成する。
そして、ステップＳ９において、伝送回路１３は、受信信号を復号し、受信データに変換する。また、伝送回路１３は、データ信号線１９を介してこの受信データを制御回路１４に供給する。
【００３７】
さらに、ステップＳ１０において、伝送回路１３は、当該受信信号と、ステップＳ８で生成した信号電圧波高値情報とをデータ保存装置１５に記録する。
【００３８】
一方、ステップＳ４において、受信電圧値が第１の閾値以下である場合（ステップＳ４；Ｎｏ）、伝送回路１３は、受信信号を受信データに復号する（ステップＳ７）。そして、伝送回路１３は、データ信号線１９を介してこの受信データを制御回路１４に供給する。なお、このときの受信データは、正常に復号されていないデータとなる。
【００３９】
このようにして受信信号を受信データに復号すると、一連の処理が終了し（ステップＳ１１）、処理がステップＳ１に戻る。そして、ステップＳ１〜ステップＳ１０までの処理が巡回的に繰り返される。
【００４０】
以上のように、本実施の形態１に係る空気調和装置１は、室外機２および室内機３等の複数の設備機器が伝送線路４で接続され、それぞれの設備機器の間で通信を行うものであり、室外機２は、伝送線路４の異常を検出するための異常検出用コンパレータ１８を有し、伝送線路４の異常を検出する伝送回路１３と、受信信号と伝送線路４の異常を検出したことを示す信号電圧波高値情報とを記録するデータ保存装置１５とを備え、伝送回路１３は、室内機３から受信した受信信号の電圧値と、異常検出用コンパレータ１８に予め設定された第２の閾値とを比較し、受信信号の電圧値が第２の閾値以下である場合に、伝送線路４が異常であると判断し、信号電圧波高値情報を生成し、受信信号とともにデータ保存装置１５に記録する。
【００４１】
このように、異常検出用コンパレータ１８を用いて受信電圧値と閾値とを比較し、受信電圧値が第２の閾値以下である場合に、伝送線路４に異常が発生したと判断する。このとき、第２の閾値は、復号用コンパレータ１７に設定された第１の閾値よりも大きい値に設定されている。そのため、本実施の形態１に係る空気調和装置１では、第１の閾値よりも大きい信号電圧を有するために正常に復号できてしまう程度の軽度の伝送線路の異常であっても、確実に検出することができる。
そして、このように伝送線路４の異常が比較的軽度の時点で異常を検出できるため、伝送線路４の異常が重度に進行して通信異常が発生する前の段階で、通信異常に対する対策を事前に行うことができる。
【００４２】
また、従来の空気調和装置では、受信信号から受信データへ正常に復号できない場合などの原因を究明するために、受信信号を解析するための伝送信号解析装置およびＰＣ（Personal Computer）といったデータ解析装置を端子台１２に接続し、受信信号を直接取り出して解析する必要があった。
これに対して、本実施の形態１に係る空気調和装置では、伝送線路４に異常が発生したと判断した場合に、受信信号および信号電圧波高値情報をデータ保存装置１５に記録させている。そのため、従来のようなデータ解析装置を空気調和装置１に接続することなく、データ保存装置１５に記録されている情報を取り出し、受信信号と信号電圧波高値情報とを確認することにより、伝送線路４の異常の原因を容易に究明することができる。そして、どの設備機器または伝送線路４のどの部分でどのような異常が発生したのかを推測し、原因を絞り込むことができる。
さらに、本実施の形態１では、空気調和装置１にデータ解析装置を接続する必要がないので、データ解析装置を接続する許可を客先に得る必要がなく、データ解析装置への電源を用意する必要がない。さらにまた、データ解析装置を接続するための認許期間が不要であるため、データを取得する期間が限定されることがない。
【００４３】
実施の形態２．
次に、本実施の形態２に係る空気調和装置について説明する。
なお、以下の説明において、上述した実施の形態１と同様の部分には同一の符号を付し、詳細な説明を省略する。
【００４４】
［空気調和装置の構成］
本実施の形態２に係る空気調和装置１は、上述した実施の形態１に係る空気調和装置１に対して、伝送線路４の異常を検出するための異常検出用コンパレータ１８を複数設けた点で相違する。ここでは、本実施の形態２に係る空気調和装置１の構成について、実施の形態１との相違点を中心に説明する。
【００４５】
本実施の形態２において、図２に示すデータ保存装置１５には、室外機２および室内機３等の複数の設備機器のそれぞれから受信信号を正常に受信した際の、受信信号に関する情報を示す信号電圧波高値初期情報が、設備機器毎に対応付けられて予め記録されている。これは、設備機器が設置される場所によって伝送線路４の線路抵抗による減衰量が異なることにより、設備機器毎に受信信号の正常時の信号電圧に差異が生じるためである。
【００４６】
信号電圧波高値初期情報は、設備機器から受信信号を正常に受信した際の、当該受信信号の信号電圧と、後述する複数の異常検出用コンパレータ１８ａ、１８ｂ、・・・のそれぞれに設定された第２の閾値との関係を示す情報である。
【００４７】
図５は、本実施の形態２に係る空気調和装置１の室外機２に設けられた伝送回路１３の構成の一例を示すブロック図である。
図５に示すように、伝送回路１３に設けられた送受信回路１６には、復号用コンパレータ１７と、複数の異常検出用コンパレータ１８ａ、１８ｂ、・・・が設けられている。
【００４８】
複数の異常検出用コンパレータ１８ａ、１８ｂ、・・・は、実施の形態１と同様に、伝送線路４の異常を検出するために設けられている。これらの異常検出用コンパレータ１８ａ、１８ｂ、・・・には、それぞれ大きさが異なる第２の閾値が予め設定されている。
それぞれの第２の閾値は、例えば、一定間隔で大きさが異なる値に設定される。また、これに限らず、例えば、伝送線路４に接続されたそれぞれの設備機器から受信信号を正常に受信した際の受信信号の信号電圧に応じて、それぞれの第２の閾値を設定してもよい。
【００４９】
なお、複数の異常検出用コンパレータ１８ａ、１８ｂ、・・・は、その数が多いほど、それぞれに設定される第２の閾値の間隔が細かくなるため、伝送線路４の異常の検出精度を向上させることができる。ただし、異常検出用コンパレータ１８ａ、１８ｂ、・・・を多く設けるにしたがって生じるコスト等が増大するため、これらの点を考慮して異常検出用コンパレータ１８ａ、１８ｂ、・・・の数を決定すると好ましい。
【００５０】
伝送回路１３は、設備機器から受信信号を受信した場合に、この受信信号の信号電圧と、複数の異常検出用コンパレータ１８ａ、１８ｂ、・・・に設定されたそれぞれの第２の閾値とを比較し、比較結果に応じた信号電圧波高値情報を生成する。
また、伝送回路１３は、受信信号を受信データに復号し、この受信信号を送信した設備機器を特定する。
ここで、復号された受信データには、例えば、送信元の設備機器を特定するための送信元アドレス等の送信元情報が少なくとも含まれている。伝送回路１３は、この送信元情報に基づき、受信信号を送信した設備機器を特定することができる。
【００５１】
そして、伝送回路１３は、受信信号に基づいて生成された信号電圧波高値情報と、データ保存装置１５に保存されている、送信元の設備機器に対応する信号電圧波高値初期情報とを比較する。比較の結果、２つの情報が一致しない場合に、伝送回路１３は、伝送線路４の異常が発生したと判断する。なお、この場合の「一致」とは、２つの情報のそれぞれが示す受信信号と第２の閾値との関係が「完全に一致」することを示す。
【００５２】
［受信信号の受信処理］
図６は、本実施の形態２に係る空気調和装置１の伝送回路１３において、信号を受信する際の処理の流れについて説明するためのフローチャートである。
なお、以下の説明において、実施の形態１と共通する処理については同一の符号を付し、詳細な説明を省略する。
【００５３】
ステップＳ１〜ステップＳ３において、設備機器からの受信信号の受信処理が開始されると、ステップＳ４において、伝送回路１３は、受信信号の信号電圧値である受信電圧値と、復号用コンパレータ１７に設定された第１の閾値とを比較する。比較の結果、受信電圧値が第１の閾値を超えた場合（ステップＳ４；Ｙｅｓ）には、処理がステップＳ２１に移行する。
【００５４】
ステップＳ２１において、伝送回路１３は、受信電圧値と複数の異常検出用コンパレータ１８ａ、１８ｂ、・・・に設定されたそれぞれの第２の閾値とを比較し、比較結果に応じた信号電圧波高値情報を生成する。
【００５５】
次に、ステップＳ２２において、伝送回路１３は、受信信号を受信データに復号し、この受信データに含まれる送信元情報に基づき、この受信信号を送信した設備機器を特定する。また、伝送回路１３は、復号した受信データを、データ信号線１９を介して制御回路１４に供給する。
【００５６】
ステップＳ２３において、伝送回路１３は、ステップＳ２１で生成した信号電圧波高値情報と、データ保存装置１５に保存された信号電圧波高値初期情報のうち、ステップＳ２２で特定した設備機器に対応する信号電圧波高値初期情報とを比較する。
比較の結果、信号電圧波高値情報と信号電圧波高値初期情報とが一致した場合（ステップＳ２３；Ｙｅｓ）には、生成した信号電圧波高値情報を破棄し、処理がステップＳ２６に移行する。
【００５７】
一方、信号電圧波高値情報と信号電圧波高値初期情報とが一致しない場合（ステップＳ２３；Ｎｏ）、伝送回路１３は、伝送線路４に軽度の伝送異常が発生したと判断する（ステップＳ２４）。そして、伝送回路１３は、当該受信信号と信号電圧波高値情報とをデータ保存装置１５に記録する（ステップＳ２５）。
【００５８】
また、ステップＳ４において、受信電圧値が第１の閾値以下である場合（ステップＳ４；Ｎｏ）、伝送回路１３は、受信信号を受信データに復号する（ステップＳ７）。そして、伝送回路１３は、データ信号線１９を介してこの受信データを制御回路１４に供給する。
【００５９】
このように、受信信号を受信データに復号するとともに、信号電圧波高値情報を生成すると、一連の処理が終了し（ステップＳ２６）、処理がステップＳ１に戻る。そして、ステップＳ１〜ステップＳ２６の処理が巡回的に繰り返される。
【００６０】
以上のように、本実施の形態２に係る空気調和装置１において、伝送回路１３は、異常検出用コンパレータ１８として閾値が異なる複数の異常検出用コンパレータ１８ａ、１８ｂ、・・・を有し、データ保存装置１５には、複数の設備機器のそれぞれから受信信号を正常に受信した際の、受信信号に関する情報を示す信号電圧波高値初期情報が設備機器毎に予め記録されている。伝送回路１３は、伝送線路４を介して受信信号を受信した際に、受信信号の電圧値である受信電圧値と、複数の異常検出用コンパレータ１８ａ、１８ｂ、・・・のそれぞれの第２の閾値とを比較し、受信電圧値とそれぞれの異常検出用コンパレータの第２の閾値との関係を示す信号電圧波高値情報を生成し、生成した信号電圧波高値情報と、データ保存装置１５に記録された、受信信号を送信した設備機器に対応する信号電圧波高値初期情報とを比較し、信号電圧波高値情報と信号電圧波高値初期情報が一致しない場合に、伝送線路４が異常であると判断する。
【００６１】
このような情報の比較を送信元の設備機器毎に行い、それぞれの設備機器に対応する信号電圧波高値情報を取得することにより、伝送線路４のどの位置で異常が発生しているのかを大まかに判断することができる。
例えば、上述した処理を行う設備機器を基準として、最も遠い位置に設備機器Ａが設置され、次に遠い位置に設備機器Ｂが設置されている場合について考える。この場合において、設備機器Ａからの受信信号に基づき伝送線路４の異常が検出され、設備機器Ｂからの受信信号に基づき伝送線路４の異常が検出されなかったときには、設備機器Ａと設備機器Ｂとの間の区間の伝送線路４に異常が発生していると判断することができる。
【００６２】
以上、本発明の実施の形態１および実施の形態２について説明したが、本発明は、上述した本発明の実施の形態１および実施の形態２に限定されるものではなく、本発明の要旨を逸脱しない範囲内で様々な変形や応用が可能である。
【００６３】
例えば、上述した例では、データ保存装置１５が室外機２の制御基板１１に設けられているが、これに限られず、例えばデータ保存装置１５をＳＤ（Secure Digital）メモリカード等の取り外し可能な記録媒体としてもよい。
このように、データ保存装置１５を取り外し可能な記録媒体とすることにより、記録されたデータを容易に取り出すことができる。また、データを解析する際に、作業者が記録媒体を直接取り出すことができない場合であっても、他の者がこの記録媒体を取り出して作業者に送付することによってデータを解析することができる。
【００６４】
また、例えば、伝送線路４に接続される設備機器として、例えば空気調和装置１を操作するためのリモートコントローラを設け、このリモートコントローラにデータ保存装置１５を設けてもよい。この場合には、伝送線路４の異常が検出された際に生成された信号電圧波高値情報を、伝送線路４を介して室外機２からリモートコントローラに送信することにより、信号電圧波高値情報をデータ保存装置１５に記録することができる。
このように、データ保存装置１５をリモートコントローラに設けることにより、例えば、建物の屋上等の作業者が近づきにくい場所に室外機２が設置されている場合であっても、データを容易に取り出すことができる。
【００６５】
さらに、この例では、伝送線路４の異常を検出するための回路が室外機２に設けられている場合について説明したが、これに限られず、例えば、このような回路を他の設備機器に設けてもよい。
【符号の説明】
【００６６】
１  空気調和装置、２  室外機、３  室内機、４  伝送線路、１０  制御箱、１１  制御基板、１２  端子台、１３  伝送回路、１４  制御回路、１５  データ保存装置、１６  送受信回路、１７  復号用コンパレータ、１８  異常検出用コンパレータ、１９  データ信号線、２０  圧縮機、３０  ファン。
【図１】
2017179180.tif 000003
【図２】
2017179180.tif 000004
【図３】
2017179180.tif 000005
【図４】
2017179180.tif 000006
【図５】
2017179180.tif 000007
【図６】
2017179180.tif 000008
【手続補正書】
【提出日】平成30年7月3日(2018.7.3)
【手続補正１】
【補正対象書類名】明細書
【補正対象項目名】０００９
【補正方法】変更
【補正の内容】
【０００９】
本発明の空気調和装置は、複数の設備機器が伝送線路で接続され、それぞれの設備機器の間で通信を行う空気調和装置であって、前記複数の設備機器のうちの１つは、前記伝送線路の異常を検出するための閾値が異なる複数の異常検出用コンパレータを有し、前記伝送線路の異常を検出する伝送回路と、前記複数の設備機器のそれぞれから前記伝送線路を介して受信した受信信号を正常に受信した際の、前記受信信号に関する情報を示す信号電圧波高値初期情報を設備機器毎に予め記録するとともに、前記受信信号と前記伝送線路の異常を検出したことを示す信号電圧波高値情報とを記録するデータ保存装置とを備え、前記伝送回路は、前記伝送線路を介して前記受信信号を受信した際に、前記受信信号の電圧値である受信電圧値と、前記複数の異常検出用コンパレータのそれぞれに予め設定された閾値とを比較し、前記受信電圧値と前記複数の異常検出用コンパレータのぞれぞれの前記閾値との関係を示す信号電圧波高値情報を生成し、生成した前記信号電圧波高値情報と、前記データ保存装置に記録された、前記受信信号を送信した設備機器に対応する前記信号電圧波高値初期情報とを比較し、前記信号電圧波高値情報と前記信号電圧波高値初期情報が一致しない場合に、前記伝送線路が異常であると判断するものである。
【手続補正２】
【補正対象書類名】特許請求の範囲
【補正対象項目名】全文
【補正方法】変更
【補正の内容】
【特許請求の範囲】
【請求項１】
複数の設備機器が伝送線路で接続され、それぞれの設備機器の間で通信を行う空気調和装置であって、
前記複数の設備機器のうちの１つは、
前記伝送線路の異常を検出するための閾値が異なる複数の異常検出用コンパレータを有し、前記伝送線路の異常を検出する伝送回路と、
前記複数の設備機器のそれぞれから前記伝送線路を介して受信した受信信号を正常に受信した際の、前記受信信号に関する情報を示す信号電圧波高値初期情報を設備機器毎に予め記録するとともに、前記受信信号と前記伝送線路の異常を検出したことを示す信号電圧波高値情報とを記録するデータ保存装置と
を備え、
前記伝送回路は、
前記伝送線路を介して前記受信信号を受信した際に、前記受信信号の電圧値である受信電圧値と、前記複数の異常検出用コンパレータのそれぞれに予め設定された閾値とを比較し、
前記受信電圧値と前記複数の異常検出用コンパレータのぞれぞれの前記閾値との関係を示す信号電圧波高値情報を生成し、
生成した前記信号電圧波高値情報と、前記データ保存装置に記録された、前記受信信号を送信した設備機器に対応する前記信号電圧波高値初期情報とを比較し、
前記信号電圧波高値情報と前記信号電圧波高値初期情報が一致しない場合に、前記伝送線路が異常であると判断する
空気調和装置。
【請求項２】
前記伝送回路は、
前記受信信号を正常に復号できるか否かを判断するための復号用コンパレータをさらに有し、
前記異常検出用コンパレータの前記閾値は、
前記復号用コンパレータに予め設定された閾値よりも大きい値に設定される
請求項１に記載の空気調和装置。
【請求項３】
複数の設備機器が伝送線路で接続され、それぞれの設備機器の間で通信を行う空気調和装置であって、
前記複数の設備機器のうちの１つは、
前記伝送線路の異常を検出するための異常検出用コンパレータと、前記伝送線路を介して他の設備機器から受信した受信信号を正常に復号できるか否かを判断するための復号用コンパレータとを有し、前記伝送線路の異常を検出する伝送回路と、
前記受信信号と前記伝送線路の異常を検出したことを示す信号電圧波高値情報とを記録するデータ保存装置と
を備え、
前記伝送回路は、
前記受信信号の電圧値と、前記異常検出用コンパレータに予め設定された閾値とを比較し、
前記受信信号の電圧値が前記閾値以下である場合に、前記伝送線路が異常であると判断し、
前記信号電圧波高値情報を生成し、該信号電圧波高値情報を前記受信信号とともに前記データ保存装置に記録し、
前記異常検出用コンパレータの前記閾値は、
前記復号用コンパレータに予め設定された閾値よりも大きい値に設定される
空気調和装置。
【請求項４】
前記データ保存装置は、
取り外しが可能な記録媒体である
請求項１〜３のいずれか一項に記載の空気調和装置。
【請求項５】
前記設備機器としてのリモートコントローラが前記伝送線路に接続され、
前記データ保存装置は、
前記リモートコントローラに設けられている
請求項１〜４のいずれか一項に記載の空気調和装置。
【請求項６】
空気調和装置に設けられた複数の設備機器が接続された伝送線路の異常検出方法であって、
前記複数の設備機器のうちの１つにおいて、他の設備機器から前記伝送線路を介して受信信号を受信した際に、前記受信信号の電圧値である受信電圧値と、前記伝送線路の異常を検出するための複数の異常検出用コンパレータのそれぞれに予め設定された閾値とを比較し、
前記受信電圧値と前記複数の異常検出用コンパレータのぞれぞれの前記閾値との関係を示す信号電圧波高値情報を生成し、
生成した前記信号電圧波高値情報と、前記受信信号を送信した設備機器に対応する、前記受信信号に関する情報を示す信号電圧波高値初期情報とを比較し、
前記信号電圧波高値情報と前記信号電圧波高値初期情報が一致しない場合に、前記伝送線路が異常であると判断する
伝送線路の異常検出方法。
【国際調査報告】
2017179180.tif 000009
2017179180.tif 000010
2017179180.tif 000011
2017179180.tif 000012